(57)【要約】【課題】信頼性の高い逆流防止装置、及びこれを備える給湯機を提供する。【解決手段】逆流防止装置５０は、一次側配管に設置され上流側逆止弁５２と、二次側配管に設置され下流側逆止弁５３と、一次側配管のうち上流側逆止弁５２よりも下流側に接続され、一次側で負圧が発生した場合に外気を導入するバキュームブレーカ５５と、一次側導通管ｃ１及び二次側導通管ｃ２を介して電磁弁５１に並列接続され、開弁することで二次側からの逆流水を系外に排出する縁切弁５４と、を備える。【選択図】図３
2015017719.tif 000002
【特許請求の範囲】
【請求項１】
流体供給源から一次側配管を介して供給される流体を、供給端末に対し二次側配管を介して供給／遮断する電磁弁と、
前記一次側配管に設置され、一次側から二次側に向かう流体の通流を許容し、二次側から一次側に向かう流体の通流を禁止する上流側逆止弁と、
前記二次側配管に設置され、一次側から二次側に向かう流体の通流を許容し、二次側から一次側に向かう流体の通流を禁止する下流側逆止弁と、
前記一次側配管のうち前記上流側逆止弁よりも下流側に接続され、一次側で負圧が発生した場合に外気を導入するバキュームブレーカと、
導通管を介して前記電磁弁に並列接続され、開弁することで二次側からの逆流水を系外に排出する縁切弁と、を備え、
前記導通管は、一端が前記一次側配管のうち前記上流側逆止弁よりも下流側に接続され、他端が前記二次側配管のうち前記下流側逆止弁よりも上流側に接続され、
前記縁切弁は、前記一次側配管に連通する第一圧力室の圧力と、前記二次側配管に連通する第二圧力室の圧力と、の差圧に応じて開閉可能であること
を特徴とする逆流防止装置。
【請求項２】
前記縁切弁は、
前記第一圧力室と前記第二圧力室とを区画し、前記差圧に応じて変形するダイヤフラムと、
前記ダイヤフラムを前記第一圧力室の圧力に逆らって開弁するように付勢するばね部材と、を有すること
を特徴とする請求項１に記載の逆流防止装置。
【請求項３】
請求項１又は請求項２に記載の逆流防止装置を備えること
を特徴とする給湯機。
【発明の詳細な説明】
【技術分野】
【０００１】
本発明は、逆流防止装置、及びこれを備える給湯機に関する。
【背景技術】
【０００２】
近年、ヒートポンプ等を熱源とする給湯機の開発が進められている。このような給湯機は、二次側（下流側）から一次側（上流側）に向けて汚水が逆流することを防止する逆流防止装置を備えている。
【０００３】
例えば、特許文献１には、一次側の流体の流体圧を検知可能な圧力検知室と、二次側の流体を流入させる流入室と、を有する縁切弁と、前記した流入室の上流側及び下流側に配置される圧力降下部材と、を備える縁切弁ユニットについて記載されている。
なお、当該縁切弁ユニットは、一次側よりも二次側のほうが高圧になった場合、排出口開閉手段を開くことで前記した流入室と排出口とを連通させ、流体を系外に排出する構成になっている。
【先行技術文献】
【特許文献】
【０００４】
【特許文献１】特許第３７７１２１１号公報
【発明の概要】
【発明が解決しようとする課題】
【０００５】
特許文献１に記載の縁切弁ユニットを備える給湯機において、例えば、断水時に一次側で負圧が発生したり、給湯される浴槽が高所に位置することで二次側が一次側よりも高圧（逆圧）になったりすることがある。
特許文献１に記載の発明では、一つの排出口を介して逆流水を排出する構成になっている。そうすると、一次側からの負圧と二次側からの逆圧とが同時に発生した場合、一つの排出口で吸気と排水を行う必要が生じる。
【０００６】
したがって、特許文献１に記載の縁切弁ユニットでは、排出口に向けて逆流水が通流する流路が、凍結や水の膜等によって塞がれた場合（又は縮径した場合）、排出口を介して吸気できなくなる可能性がある。その結果、二次側からの逆流水が負圧で吸い上げられて一次側に流入することがある。
【０００７】
そこで本発明は、信頼性の高い逆流防止装置、及びこれを備える給湯機を提供することを課題とする。
【課題を解決するための手段】
【０００８】
前記課題を解決するために、本発明に係る逆流防止装置は、バキュームブレーカを介して外気を導入することで一次側の負圧を解消し、縁切弁を介して二次側からの逆流水を排出するように構成した。すなわち、負圧を解消するための流路と、逆流水を排出するための流路と、を分離する構成とした。
なお、詳細については発明を実施するための形態で説明する。
【発明の効果】
【０００９】
本発明によれば、信頼性の高い逆流防止装置、及びこれを備える給湯機を提供できる。
【図面の簡単な説明】
【００１０】
【図１】本発明の一実施形態に係る逆流防止装置を備える給湯機の概略構成図である。
【図２】逆流防止装置の側断面図であり、一次側よりも二次側のほうが低圧である正常時の状態を示している。
【図３】逆流防止装置の側断面図であり、一次側よりも二次側のほうが高圧である異常時の状態を示している。
【発明を実施するための形態】
【００１１】
本発明を実施するための形態（以下、実施形態という）について、適宜図面を参照しながら詳細に説明する。以下では、一例として、給湯機１００（図１参照）に逆流防止装置５０を適用する場合について説明する。
【００１２】
≪実施形態≫
＜給湯機の構成＞
図１は、本実施形態に係る逆流防止装置を備える給湯機の概略構成図である。逆流防止装置５０の説明に先立って、給湯機１００の構成について簡単に説明する。
給湯機１００は、操作端末（図示せず）で設定される温度に応じた湯水（流体）を浴槽Ｂに給湯する装置である。図１に示すように、給湯機１００は、ヒートポンプユニット１０と、貯湯タンク２０と、減圧弁３０と、混合弁４０と、逆流防止装置５０と、を備えている。
【００１３】
ヒートポンプユニット１０は、貯湯タンク２０から流入する低温の湯水を加熱する機能を有している。ヒートポンプユニット１０は、例えば、配管を介して順次環状に接続されるコンプレッサ（図示せず）、コンデンサ（凝縮器：図示せず）、膨張弁（図示せず）及びエバポレータ（蒸発器：図示せず）を有している。
【００１４】
ヒートポンプユニット１０についての詳細な説明は省略するが、前記したコンデンサにおいて、コンプレッサから流入する高温高圧の冷媒と、貯湯タンク２０の下部から往き管ａ１を介して流入する低温水と、が熱交換し、前記した低温水が吸熱して高温水になる。また、循環ポンプ（図示せず）が駆動することで、当該高温水が戻り管ａ２を介して貯湯タンク２０の上部に流入する。
【００１５】
貯湯タンク２０は、ヒートポンプユニット１０で加熱された湯水を貯留する外形円柱状のタンクであり、その軸線が鉛直方向に沿うように設置されている。なお、高温の湯水ほど密度が小さく浮上しやすいため、貯湯タンク２０に貯留される湯水は上方に向かうにつれて高温になっている。また、通常運転時において貯湯タンク２０は満水の状態である。
【００１６】
減圧弁３０は、給水源（流体供給源）から供給される水を所定圧力に減圧するものであり、上流側は配管ａ３を介して給水源に接続され、下流側は配管ａ４を介して貯湯タンク２０の下部（入水口）に接続されている。
混合弁４０は、配管ａ５を介して流入する水と、配管ａ６を介して流入する高温水と、を所定の流量比で混合し、配管ａ７等を介して浴槽Ｂに供給するものである。なお、前記した流量比は、操作端末（図示せず）を介した操作に応じて、制御装置（図示せず）によって設定される。
【００１７】
図１に示すように、混合弁４０が有する二つの導入口のうち、一方は配管ａ６を介して貯湯タンク２０の上部（出湯口）に接続され、他方は配管ａ５，ａ４（一部），配管ａ３を介して給水源に接続されている。混合弁４０の導出口は、配管ａ７，ａ８，ｂ１，ｂ２を介して浴槽端末Ｂ１（供給端末）に接続されている。
【００１８】
＜逆流防止装置の構成＞
以下では、電磁弁５１よりも上流側（配管ａ１〜ａ８を含む）を「一次側」と記し、電磁弁５１よりも下流側（配管ｂ１，ｂ２を含む）を「二次側」と記す。正常時において一次側には給水源から水道圧が作用するため、一次側は二次側よりも高圧になっている。
なお、給水源から電磁弁５１に向かう湯水が通流する「一次側配管」は、配管ａ１〜ａ８を含んで構成される。また、電磁弁５１から浴槽端末Ｂ１（図１参照）に向かう湯水が通流する「二次側配管」は、配管ｂ１，ｂ２を含んで構成される。
【００１９】
ところで、断水時等に給水源が低圧になり、前記した一次側で負圧が発生することがある。また、例えば、浴槽Ｂが高所に設置されている場合、浴槽Ｂに貯留された湯水の位置エネルギによって二次側で逆圧が発生する（一次側と略同圧又は一次側よりも高圧になる）ことがある。
【００２０】
逆流防止装置５０は、このような異常時において逆流水が一次側に流入することを防止し、逆流水を系外に排出する機能を有している。また、逆流防止装置５０は、制御装置（図示せず）から入力される指令に応じて開閉する電磁弁５１を有し、一次側から二次側に供給される湯水を通流／遮断する機能も有している。
【００２１】
図２は、逆流防止装置の側断面図であり、一次側よりも二次側のほうが低圧である正常時の状態を示している。なお、図２に示すように上下を定義する。逆流防止装置５０は、電磁弁５１と、上流側逆止弁５２と、下流側逆止弁５３と、縁切弁５４と、バキュームブレーカ５５と、を備えている。
【００２２】
（電磁弁）
電磁弁５１は、例えば、常閉型の開閉弁であり、制御装置（図示せず）から入力される指令に応じて開閉する。電磁弁５１は、ソレノイドコイル５１ｐと、プランジャ５１ｑと、圧縮コイルばね５１ｒ，５１ｓと、弁体５１ｔと、を有している。
制御装置から閉弁指令が入力されている場合、ソレノイドコイル５１ｐには電流が流れていない。この場合、圧縮コイルばね５１ｒ，５１ｓの付勢力によって弁体５１ｔが着座し、電磁弁５１は閉弁状態になっている。つまり、一次側の領域（配管ａ７，ａ８等）と、二次側の領域（配管ｂ１，ｂ２等）と、が遮断されている。
【００２３】
制御装置（図示せず）から開弁指令が入力された場合、ソレノイドコイル５１ｐに電流が流れ、プランジャ５１ｑが圧縮コイルばね５１ｒの付勢力に逆らって移動（上昇）する。前記したプランジャ５１ｑの移動と、一次側の水圧と、によって弁体５１ｔが離座する。このように電磁弁５１が開弁した場合、一次側からの湯水が電磁弁５１を介して二次側に流入する。
なお、電磁弁５１は湯水の通流／遮断を切替可能な構成であればよく、図２に示す構成に限定されない。
【００２４】
（上流側逆止弁、下流側逆止弁）
上流側逆止弁５２は、配管ａ７，ａ８を介して一次側から二次側に向かう湯水の通流を許容し、逆向きの通流を禁止する弁である。上流側逆止弁５２の上流側は、配管ａ７を介して混合弁４０の導出口に接続されている（図１参照）。上流側逆止弁５２の下流側は、配管ａ８を介して電磁弁５１に接続されるとともに、一次側導通管ｃ１（導通管）を介して縁切弁５４（第一圧力室α）に接続されている。
【００２５】
図２に示すように、上流側逆止弁５２は、湯水の通流方向に沿って移動可能な弁体５２ｐと、弁体５２ｐ等を収容する弁箱５２ｑと、弁体５２ｐを着座させるように（紙面右向きに）付勢する圧縮コイルばね５２ｒと、を有している。
【００２６】
圧縮コイルばね５２ｒの付勢力に打ち勝つ所定圧力の湯水が配管ａ７を介して流入した場合、弁体５２ｐが離座し、上流側逆止弁５２は一次側から二次側に向かう湯水の通流を許容する。一方、配管ａ７内が比較的低圧になった場合、圧縮コイルばね５２ｒの付勢力によって弁体５２ｐが着座し、上流側逆止弁５２は二次側から一次側に向かう湯水の通流を禁止する。
【００２７】
下流側逆止弁５３は、配管ｂ１，ｂ２を介して一次側から二次側に向かう湯水の通流を許容し、逆向きの通流を禁止する弁である。下流側逆止弁５３の上流側は、配管ｂ１を介して電磁弁５１に接続されるとともに、二次側導通管ｃ２（導通管）を介して縁切弁５４（第二圧力室β）に接続されている。下流側逆止弁５３の下流側は、配管ｂ２を介して浴槽端末Ｂ１（図１参照）に接続されている。
なお、下流側逆止弁５３の構成は、前記した上流側逆止弁５２と同様であるから説明を省略する。
【００２８】
（縁切弁）
縁切弁５４は、前記した異常時において開弁することで逆流水が一次側に流入することを防止し、逆流水を系外に排出するものである。縁切弁５４は、弁箱５４ｐと、ダイヤフラム５４ｑと、ばね受け５４ｒと、圧縮コイルばね５４ｔと、を有している。
縁切弁５４は、電磁弁５１に対して並列接続されている（図１参照）。すなわち、縁切弁５４の一端は、一次側導通管ｃ１を介して配管ａ８（つまり、上流側逆止弁５２よりも下流側）に接続されている。縁切弁５４の他端は、二次側導通管ｃ２を介して配管ｂ１（つまり、下流側逆止弁５３よりも上流側）に接続されている。
また、縁切弁５４は、電磁弁５１及び上流側逆止弁５２よりも低い位置に設置され、かつ、下流側逆止弁５３よりも高い位置に設置されている。
【００２９】
弁箱５４ｐは、その内部にダイヤフラム５４ｑ、ばね受け５４ｒ、及び圧縮コイルばね５４ｔを収容する箱体である。
弁箱５４ｐは、ダイヤフラム５４ｑの縁部を固定する側断面視で矩形状の外殻５４１ｐと、二次側導通管ｃ２の下流端に連なるように形成される円筒状の仕切壁５４２ｐと、を有している。図２に示すように、仕切壁５４２ｐは外殻５４１ｐの内部に臨んでおり、その先端（紙面右側の端部）にダイヤフラム５４ｑが当接可能になっている。なお、本実施形態において外殻５４１ｐは、二つの管状部材を剛に接続（ボルト締め、溶接等）することで形成されている。
【００３０】
弁箱５４ｐには、逆流水を排水するための排水管ｄ１が接続されている。排水管ｄ１は、ダイヤフラム５４ｑが仕切壁５４２ｐに当接した状態で第二圧力室βから遮断され、ダイヤフラム５４ｑが仕切壁５４２ｐから離間した状態で第二圧力室βに連通するように、外殻５４１ｐに接続されている。
【００３１】
ダイヤフラム５４ｑは、側面視で（紙面右側から視て）円形を呈するゴム製の隔膜５４１ｑと、この隔膜５４１ｑに形成された孔に嵌め込んで固着される樹脂製の補強部材５４２ｑと、を有している。
隔膜５４１ｑは、所定の撓み性を有しており、その全周縁が弁箱５４ｐの内壁に固着（シール）されている。このようにダイヤフラム５４ｑを設置することで、弁箱５４ｐ内の空間が第一圧力室αと第二圧力室βとに区画される。
【００３２】
第一圧力室αは、ダイヤフラム５４ｑの表面（紙面右側の面）と、外殻５４１ｐの内壁面と、によって囲まれる空間であり、一次側導通管ｃ１に連通している。なお、一次側導通管ｃ１は配管ａ８から分岐し、その内部が第一圧力室αに連通するように外殻５４１ｐに接続されている。
第二圧力室βは、ダイヤフラム５４ｑの裏面（紙面左側の面）と、仕切壁５４２ｐの内壁面と、によって囲まれる空間であり、二次側導通管ｃ２に連通している。なお、二次側導通管ｃ２は配管ｂ１から分岐し、その内部が第二圧力室βに連通するように外殻５４２ｐに接続されている。
【００３３】
ばね受け５４ｒは、圧縮コイルばね５４ｔの付勢力を受けるように環状に形成され、ダイヤフラム５４ｑの裏面（紙面左側の面）に固着されている。また、ばね受け５４ｒは、圧縮コイルばね５４ｔの付勢力で移動する際、外殻５４１ｐの内壁面を摺動するように設置されている。
【００３４】
圧縮コイルばね５４ｔ（ばね部材）は、第二圧力室βにおいて外殻５４１ｐの内壁面とばね受け５４ｒとの間に介装されている。圧縮コイルばね５４ｔによって、第二圧力室βから第一圧力室αに向かう紙面右向きの付勢力がばね受け５４ｒに作用する。
圧縮コイルばね５４ｔは、第二圧力室βの圧力が第一圧力室αの圧力に迫った（略同圧になった）場合、その付勢力によってダイヤフラム５４ｑを変形させ（図３参照）、ダイヤフラム５４ｑを仕切壁５４２ｐから離間させるように設置されている。
【００３５】
正常時では、第一圧力室αのほうが第二圧力室βよりも高圧であるため、その差圧が圧縮コイルばね５４ｔの付勢力に打ち勝つ。この場合、ダイヤフラム５４ｑは仕切壁５４２ｐの先端に当接し、第二圧力室βと排水管ｄ１内とが遮断されている。
一方、第二圧力室βのほうが第一圧力室αよりも高圧になると（又は略同圧になると）、圧縮コイルばね５４ｔの付勢力によってダイヤフラム５４ｑの隔膜５４１ｑが変形する（図３参照）。この場合、ダイヤフラム５４ｑは仕切壁５４２ｐの先端から離間し、第二圧力室βと排水管ｄ１内とが連通する。
【００３６】
（バキュームブレーカ）
バキュームブレーカ５５は、一次側に負圧が発生した場合に吸気口５５ｉを介して外気を導入する機能を有している。これによって、一次側の負圧が解消（破壊）され、上流側逆止弁５２に異物（針金Ｋ：図３参照）が挟まった場合でも、逆流水が一次側に流入することを防止できる。バキュームブレーカ５５は、球状弁体５５ｐと、Ｏリング５５ｑと、を有している。
球状弁体５５ｐは、金属製の球状部材であり、吸気管ｅ１のうち上流側及び下流側に対して内径が大きい箇所に収容されている。なお、吸気管ｅ１のうち前記箇所よりも上流側の内径は、球状弁体５５ｐの径よりも小さい（下流側も同様である）。
【００３７】
球状弁体５５ｐは、一次側で所定の負圧が発生した場合に浮き上がるように、その大きさ及び重量が設定されている。球状弁体５５ｐが浮き上がると吸気管ｅ１を介して外気が導入され、前記した負圧が解消される。
Ｏリング５５ｑは、球状弁体５５ｐの下側に収容される環状部材であり、所定の弾性を有している。一次側で負圧が発生していない正常時、球状弁体５５ｐはＯリング５５ｑに密着した状態（つまり、閉弁状態）になっている。
【００３８】
＜逆流防止装置の動作＞
（正常時）
一次側で負圧が発生せず、かつ、二次側で逆圧が発生していない正常時において電磁弁５１を開弁する場合について説明する（図２参照）。この場合、一次側（給水源）からの水圧が圧縮コイルばね５２ｒの付勢力に打ち勝って弁体５２ｐを紙面左向きに移動させ、上流側逆止弁５２が開弁する。なお、下流側逆止弁５３についても同様である。
【００３９】
混合弁４０（図１参照）で所定温度に調整された湯水は、配管ａ７、上流側逆止弁５２、配管ａ８、電磁弁５１、配管ｂ１、下流側逆止弁５３、及び配管ｂ２を介して浴槽端末Ｂ１（図１参照）に供給される。また、配管ａ８を通流する湯水の一部は一次側導通管ｃ１を介して分流し、第一圧力室αに充填される。
この場合、吸気管ｅ１内は大気圧よりも高圧であるため、バキュームブレーカ５５の球状弁体５５ｐはＯリング５５ｑに押し付けられている。その結果、吸気管ｅ１は閉塞した状態で維持される。
【００４０】
また、配管ｂ１を通流する湯水の一部は二次側導通管ｃ２を介して分流し、第二圧力室βに充填される。電磁弁５１を通流する際の圧力損失によって第二圧力室βは第一圧力室αよりも低圧になる。この圧力差によってダイヤフラム５４ｑは仕切壁５４２ｐの先端に当接し、第二圧力室βと排水管ｄ１内とが遮断される。すなわち、正常時において縁切弁５４は閉弁状態であり、排水管ｄ１を介して湯水が排出されることはない。
【００４１】
（異常時）
次に、一次側で負圧が発生し、二次側で逆圧が発生し、さらに各逆止弁５２，５３に異物（例えば、針金Ｋ）が挟まった状態について考える。なお、一次側での負圧発生、及び二次側での逆圧発生のうち一方のみが発生することもあるが、これらが同時発生し、さらに各逆止弁５２，５３に不具合が生じたという非常に厳しい状況について考える。
【００４２】
ところで、給湯機において浴槽の汚水を一次側に逆流させてはならないことが水道法で定められている。日本水道協会が定める負圧破壊性能によれば、全ての逆止弁に０．３ｍｍの針金を挟んだ状態で二次側（浴槽側）からの逆圧に加え、一次側（給水側）からの負圧を加えた場合でも、汚水を一次側に逆流させてはならないことが規定されている。
【００４３】
図３は、逆流防止装置の側断面図であり、一次側よりも二次側のほうが高圧である異常時の状態を示している。なお、図３の破線矢印は浴槽Ｂ（図１参照）から流入する逆流水の流れを示し、実線矢印は吸気口５５ｉを介して吸い込まれる空気の流れを示している。
二次側で逆圧が発生すると、浴槽Ｂからの逆流水（汚水）が配管ｂ２を介して上昇する。ここで、下流側逆止弁５３に針金Ｋが挟まっているため、弁体５３ｐと弁箱５３ｑとの隙間を介して逆流水が漏れ出し、配管ｂ１内に流入する。
なお、逆流水が下流側逆止弁５３を通流する際に大きな圧力降下が発生するため、１秒間に１滴程度の逆流水が、下流側逆止弁５３から配管ｂ１内に滲み出てくる。
【００４４】
一方、第一圧力室αは比較的低圧（第二圧力室βの圧力以下、又は略同圧）になっている。したがって、圧縮コイルばね５４ｔの付勢力によって隔膜５４１ｑが変形し、ダイヤフラム５４ｑが仕切壁５４２ｐから離間して隙間ができる。そうすると、配管ｂ１及び二次側導通管ｃ２を介して第二圧力室βに流入した逆流水は、前記した隙間及び排水管ｄ１を介して系外に排出される。
【００４５】
また、Ｏリング５５ｑに着座していた球状弁体５５ｐは、一次側の負圧によって浮き上がる。そうすると、バキュームブレーカ５５の吸気管ｅ１を介して、配管ａ８内に空気（外気）が吸い込まれる。配管ａ８内に吸い込まれた空気は、上流側逆止弁５２及び配管ａ７を介して一次側に向かう。これによって、一次側の負圧が解消（破壊）される。
ここで、空気が上流側逆止弁５２を通流する際に大きな圧力降下が生じる。したがって、バキュームブレーカ５５を介して外気が一気に吸い込まれることはなく、比較的小さい流量の空気がバキュームブレーカ５５を介して吸い込まれ、一次側の負圧がゆっくりと解消される。
【００４６】
なお、上流側逆止弁５２に針金Ｋが挟まっていない状態でも、弁体５２ｐと弁箱５２ｑとの間の極小隙間を介し、バキュームブレーカ５５から吸い込まれた空気が一次側に流入する。
【００４７】
＜効果＞
本実施形態に係る逆流防止装置５０は、二次側の逆圧に伴う逆流水を縁切弁５４を介して排出し、一次側の負圧をバキュームブレーカ５５から吸気することで解消（破壊）する。つまり、逆流防止装置５０は、一次側の負圧によって生じる空気の流れと、二次側の逆圧によって生じる逆流水の流れと、を完全に分離する構成になっている。これによって、吸気と排水とを安定して行い、二次側からの逆流水が一次側に流入することを確実に防止できる。
【００４８】
前記した特許文献１に記載の縁切弁ユニットは、一つの排出口を介して逆流水を排出する構成になっている。そうすると、一次側からの負圧と二次側からの逆圧とが同時発生した場合、一つの排出口で吸気と排水の両方を行う必要が生じる。この縁切弁ユニットにおいて、仮に、排水管内に残留した水が凍結した場合、外気を導入する流路の径が小さくなる。その結果、一次側での負圧が解消されず、二次側からの逆流水が一次側に流入する可能性がある。
【００４９】
また、実際に起こり得る状況を考慮し、特許文献１に記載の縁切弁ユニットにおいて逆止弁に挟む試験用の針金Ｋを太くした（例えば、径０．５ｍｍとした）場合、充分に吸気できず一次側の負圧が解消されない可能性がある。
【００５０】
これに対して本実施形態では、バキュームブレーカ５５で吸気することで一次側の負圧を解消し、縁切弁５４を開弁することで二次側からの逆流水を排出する構成になっている。したがって、仮に、排水管ｄ１内に残っている水が凍結等して流路径が小さくなっても、バキュームブレーカ５５によって確実に外気を導入して一次側の負圧を確実に解消し、逆流水が一次側に流入することを防止できる。このように、本実施形態に係る逆流防止装置５０は安定した負圧破壊性能を有し、信頼性を高くすることができる。
【００５１】
また、本実施形態では、上流側逆止弁５２よりも下流側、かつ、電磁弁５１よりも上流側にバキュームブレーカ５５を設置する構成になっている。これによって、一次側（給水源側）で負圧が発生した場合、上流側逆止弁５２で大きな圧力降下が生じる。その結果、バキュームブレーカ５５から大流量の空気が一気に導入されることを防止し、一次側の負圧を徐々に解消できる。つまり、本実施形態によれば、前記した異常時においても一次側の機器が破損することを防止できる。
【００５２】
また、本実施形態では、縁切弁５４が、仕切壁５４２ｐの先端に当接／離間するダイヤフラム５４ｑを有する構成とした。これによって、例えば、ピストンを摺動させる場合と比較して縁切弁５４の構成を単純化し、逆流防止装置５０の製造コストを低減できる。
また、逆流水の系外への排出機能（縁切弁５４）、及び開閉弁の機能（電磁弁５１）を兼ねるように構成することで、逆流防止装置５０をコンパクト化し、製造コストを低減できる。
【００５３】
≪変形例≫
以上、本発明に係る逆流防止装置５０について前記実施形態により説明したが、本発明はこれに限定されるものではなく、種々の変更を行うことができる。
例えば、前記実施形態では、縁切弁５４がダイヤフラム５４ｑを有する場合について説明したが、第一圧力室αと第二圧力室βの差圧に応じて開閉可能な構成であれば他の構成でもよい。例えば、第一圧力室αと第二圧力室βとを区画するようにシリンダ内で摺動するようにピストンを設ける構成でもよい。
【００５４】
また、前記実施形態では、一次側導通管ｃ１と配管ａ８との接続箇所よりも上流側にバキュームブレーカ５５を接続する場合について説明したが（図１参照）、これに限らない。すなわち、上流側逆止弁５２よりも下流側にバキュームブレーカ５５を接続すればよく、例えば、一次側導通管ｃ１にバキュームブレーカ５５を接続してもよい。
また、バキュームブレーカ５５が球状弁体５５ｐ及びＯリング５５ｑを有する場合について説明したが、他の構成（大気圧式又は圧力式）であってもよい。
【００５５】
また、前記実施形態では、貯湯タンク２０（図１参照）内の湯水を加熱する熱源としてヒートポンプユニット１０を用いる場合について説明したが、これに限らない。すなわち、前記した熱源として、電気ヒータ、天然ガス等を用いてもよい。
【００５６】
また、前記実施形態では、逆流防止装置５０を給湯機１００（図１参照）に適用する場合について説明したが、これに限らない。すなわち、逆流防止装置５０は、温水便器や食洗機等、さまざまな機器に適用できる。
【符号の説明】
【００５７】
１００  給湯機
５０  逆流防止装置
５１  電磁弁
５２  上流側逆止弁
５３  下流側逆止弁
５４  縁切弁
５４ｑ  ダイヤフラム
５４ｔ  圧縮コイルばね（ばね部材）
５５  バキュームブレーカ
ａ１  往き管（一次側配管）
ａ２  戻り管（一次側配管）
ａ３，ａ４，ａ５，ａ６，ａ７，ａ８  配管（一次側配管）
ｂ１，ｂ２  配管（二次側配管）
ｃ１  一次側導通管（導通管）
ｃ２  二次側導通管（導通管）
ｄ１    排水管
ｅ１    吸気管
α  第一圧力室
β  第二圧力室
Ｂ１  浴槽端末（供給端末）
【図１】
2015017719.tif 000003
【図２】
2015017719.tif 000004
【図３】
2015017719.tif 000005